(57)【要約】      （修正有）【課題】シールド部材と他の部材等との相対的な位置関係を一定に保つ構造を提供する。【解決手段】前側ケース３４に第１固定孔３４ｈが形成され、シールド部材２０にシールド側固定孔２２ｈが形成され、主基板１３に第２固定孔１３ｈが形成される。第１固定孔３４ｈの周縁部、シールド側固定孔２２ｈの周縁部、第２固定孔１３ｈの周縁部を重ね合せた状態で、それら各孔３４ｈ、２２ｈ、１３ｈにねじが通されて固定される。第１固定孔３４ｈ及び第２固定孔１３ｈは、シールド側固定孔２２ｈよりも大きくなっており、シールド側固定孔２２ｈの周縁部に生じたバリや波打ち変形部分等は、第１固定孔３４ｈ及び第２固定孔１３ｈ内に配設される。【選択図】図５
2006351929.tif 000002
【特許請求の範囲】
【請求項１】
第１固定孔を有する基板固定部材と、
第２固定孔を有する基板と、
シールド側固定孔を有するシールド部材と、
を備え、
前記第１固定孔の周縁部と前記シールド側固定孔の周縁部と前記第２固定孔の周縁部とがこの順番で重ね合された状態で、それらの各孔に固定具が挿通されることで、前記シールド部材が前記基板固定部材と前記基板との間で固定され、
前記第１固定孔及び前記第２固定孔のうち少なくとも一つは、前記シールド側固定孔よりも大きい、シールド部材の取付部構造。
【請求項２】
請求項１記載のシールド部材の取付部構造であって、
前記第１固定孔及び前記第２固定孔の両方が、前記シールド側固定孔よりも大きい、シールド部材の取付部構造。
【請求項３】
請求項１又は請求項２記載のシールド部材の取付部構造であって、
前記基板のうち前記第２固定孔の周縁部に、前記シールド部材のうち前記シールド側固定孔の周縁部と導通を得るアースパターンが形成された、シールド部材の取付部構造。
【請求項４】
請求項１〜請求項３記載のいずれかに記載のシールド部材の取付部構造であって、
前記固定具はねじ部材であり、
前記第１固定孔は、前記シールド側固定孔よりも大きい大開口部と、その大開口部よりも奥側に形成され前記ねじ部材と螺合可能なねじ孔部とを有している、シールド部材の取付部構造。
【請求項５】
レンズ部を通じて外部景色を撮像する撮像素子を備えたカメラ装置であって、
第１固定孔を有すると共に、前記レンズ部を保持するホルダ部を有する基板固定部材と、
第２固定孔を有し、前記撮像素子が実装された基板と、
シールド側固定孔を有し、前記撮像素子を覆うシールド部材と、
を備え、
前記第１固定孔の周縁部と前記シールド側固定孔の周縁部と前記第２固定孔の周縁部とが重ね合された状態で、それらの各孔に固定具が挿通されることで、前記シールド部材が前記基板固定部材と前記基板との間で前記撮像素子を覆うような態様で固定され、
前記第１固定孔及び前記第２固定孔のうち少なくとも一つは、前記シールド側固定孔よりも大きい、カメラ装置。
【請求項６】
請求項５記載のカメラ装置であって、
前記基板のうち前記第２固定孔の周縁部に、前記シールド部材のうち前記シールド側固定孔の周縁部と導通を得るアースパターンが形成された、カメラ装置。
【発明の詳細な説明】
【技術分野】
【０００１】
この発明は、シールド部材を取付けるための技術に関する。
【背景技術】
【０００２】
ＣＣＤ等の撮像素子を用いたカメラ装置では、外部から或は外部への電磁ノイズを遮蔽するため、通常、シールド効果を有する筐体、又は、シールド板が用いられる。
【０００３】
シールド板としては、撮像素子を実装した基板の側方部分のみを覆う構成のものや、撮像素子側を覆うようにした構成のもの等がある。通常、後者の構成の方がシールド効果は高い。
【０００４】
また、シールド板を基板に取付ける構成としては、シールド板及び基板の双方にねじ用固定孔を形成しておき、両ねじ用固定孔を重ね合せるように配設してねじを用いて固定する構成が考えられる。
【０００５】
この場合、例えば、基板が所定の固定部材に固定される場合には、その固定部材への固定用のねじ用固定孔と、シールド板固定用のねじ用固定孔とを共通化することが好ましい。これにより、単一のねじ及び単一のねじ止工程で、固定部材への基板の取付及びシールド板の固定を実現でき、組立工数及び固定用部品の双方を削減できるからである。
【発明の開示】
【発明が解決しようとする課題】
【０００６】
ところで、上記シールド板にねじ用固定孔を打抜き加工する際、そのねじ用固定孔の周縁部にバリが発生したり、また、該周縁部が波打つように変形することがある。これらのバリや変形部分は、ねじ用固定孔の周縁部でシールド板と基板との密着を妨げることになる。そして、ねじ用固定孔の周縁部でシールド板と基板との密着が妨げられると、基板等に対してシールド板が傾いた姿勢で取付られることになる。
【０００７】
特に、例えば、基板に関して固定部材への固定用のねじ用固定孔とシールド板固定用のねじ用固定孔とを共通化した構成にあっては、シールド板と基板との非密接状態により、固定部材に対する基板の取付姿勢が傾いてしまう場合もあり得る。この場合には、基板に実装された撮像素子とその前方に配設されたレンズ系との相対的な位置ずれが生じ、光軸ずれ、ピント精度の低下等を招く恐れがある。
【０００８】
そこで、本発明は、シールド部材と他の部材等との相対的な位置関係を一定に保つようにするための技術を提供することを目的とする。
【課題を解決するための手段】
【０００９】
この発明に係るシールド部材の取付部構造は、第１固定孔を有する基板固定部材と、第２固定孔を有する基板と、シールド側固定孔を有するシールド部材と、を備え、前記第１固定孔の周縁部と前記シールド側固定孔の周縁部と前記第２固定孔の周縁部とがこの順番で重ね合された状態で、それらの各孔に固定具が挿通されることで、前記シールド部材が前記基板固定部材と前記基板との間で固定され、前記第１固定孔及び前記第２固定孔のうち少なくとも一つは、前記シールド側固定孔よりも大きいものである。
【００１０】
この場合に、前記第１固定孔及び前記第２固定孔の両方が、前記シールド側固定孔よりも大きくなるようにてしてもよい。
【００１１】
また、前記基板のうち前記第２固定孔の周縁部に、前記シールド部材のうち前記シールド側固定孔の周縁部と導通を得るアースパターンが形成されていてもよい。
【００１２】
また、前記固定具はねじ部材であり、前記第１固定孔は、前記シールド側固定孔よりも大きい大開口部と、その大開口部よりも奥側に形成され前記ねじ部材と螺合可能なねじ孔部とを有していてもよい。
【００１３】
さらに、この発明に係るカメラ装置は、レンズ部を通じて外部景色を撮像する撮像素子を備えたカメラ装置であって、第１固定孔を有すると共に、前記レンズ部を保持するホルダ部を有する基板固定部材と、第２固定孔を有し、前記撮像素子が実装された基板と、シールド側固定孔を有し、前記撮像素子を覆うシールド部材と、を備え、前記第１固定孔の周縁部と前記シールド側固定孔の周縁部と前記第２固定孔の周縁部とが重ね合された状態で、それらの各孔に固定具が挿通されることで、前記シールド部材が前記基板固定部材と前記基板との間で前記撮像素子を覆うような態様で固定され、前記第１固定孔及び前記第２固定孔のうち少なくとも一つは、前記シールド側固定孔よりも大きいものである。
【００１４】
この場合に、前記基板のうち前記第２固定孔の周縁部に、前記シールド部材のうち前記シールド側固定孔の周縁部と導通を得るアースパターンが形成されていてもよい。
【発明の効果】
【００１５】
この発明のシールド部材の取付部構造によると、第１固定孔及び第２固定孔のうち少なくとも一つは、前記シールド側固定孔よりも大きいため、たとえシールド側固定孔側にバリや変形等が生じていても、前記第１固定孔の周縁部と前記シールド側固定孔の周縁部と前記第２固定孔の周縁部とが重ね合された状態で、それらの周縁部を密接状態にすることができる。このため、シールド部材と他の基板固定部材や基板等との相対的な位置関係を一定に保つことができ、また、固定部材と基板との相対的な位置関係も一定に保つことができる。
【００１６】
この場合に、前記第１固定孔及び前記第２固定孔の両方が、前記シールド側固定孔よりも大きいと、前記第１固定孔の周縁部と前記シールド側固定孔の周縁部と前記第２固定孔の周縁部とが重ね合された状態で、それらの周縁部をより確実に密接状態にすることができる。
【００１７】
また、前記基板のうち前記第２固定孔の周縁部に、前記シールド部材のうち前記シールド側固定孔の周縁部と導通を得るアースパターンが形成されていると、前記シールド部材が前記基板固定部材と前記基板との間で固定されることで、シールド部材が基板のアースパタンに電気的に接続されて接地される。このため、シールド部材の接地も簡易な構成で容易に行える。
【００１８】
さらに、前記固定具はねじ部材であり、前記第１固定孔は、前記シールド側固定孔よりも大きい大開口部と、その大開口部よりも奥側に形成され前記ねじ部材と螺合可能なねじ孔部とを有していると、ねじ部材を確実に螺合させつつ、シールド部材と基板固定部材とをより確実に密接状態にすることができる。
【００１９】
また、この発明のカメラ装置によると、第１固定孔及び第２固定孔のうち少なくとも一つは、シールド側固定孔よりも大きいため、たとえシールド側固定孔側にバリや変形等が生じていても、前記第１固定孔の周縁部と前記シールド側固定孔の周縁部と前記第２固定孔の周縁部とが重ね合された状態で、それらの周縁部を密接状態にすることができる。このため、シールド部材と前板基板固定部材及び基板との相対的な位置関係を一定に保つことができる。また、基板固定部材と基板との相対的な位置関係も一定に保つことができ、結果、撮像素子とレンズ部との位置関係も一定にすることができる。
【００２０】
この場合に、前記基板のうち前記第２固定孔の周縁部に、前記シールド部材のうち前記シールド側固定孔の周縁部と導通を得るアースパターンが形成されていると、前記シールド部材が前記基板固定部材と前記基板との間で固定されることで、シールド部材が基板のアースパタンに電気的に接続されて接地される。このため、シールド部材の接地も簡易な構成で容易に行える。
【発明を実施するための最良の形態】
【００２１】
以下、この発明に係るシールド部材の取付部構造が適用されたカメラ装置について説明する。なお、本発明は以下に詳述するカメラ装置の他、シールド部材を基板と基板固定部材との間に固定する構成や、シールド部材を他の部材に隣接させた状態で取付ける構成等、種々のシールド部材の取付部構造に適用し得る。
【００２２】
図１はカメラ装置の分解斜視図であり、図２は同カメラ装置における前側ケースとシールド部材と基板とを示す分解斜視図であり、図３は前側ケースとシールド部材と基板との相対的な位置関係を示す説明図である。なお、説明の便宜上、レンズ部４０の光軸に沿って像側を前、撮像素子１６側を後ろとする。
【００２３】
このカメラ装置１０の基本的構成について説明すると、カメラ装置１０は、基板ユニット１２と、シールド部材２０と、ケース体３０と、レンズ部４０とを備えている。
【００２４】
基板ユニット１２は、所定の回路パターンを形成した主基板にＣＣＤ等の撮像素子１６を実装固定したものである。ここでは、基板ユニット１２は、積層状に設けられた主基板１３と副基板１４とを備えており、主基板１３の一主面（前面）側に撮像素子１６が実装固定されている。この基板ユニット１２の主基板１３及び副基板１４には、適宜、撮像素子１６の駆動回路や制御回路、電源回路等が形成されている。
【００２５】
シールド部材２０は、前記主基板１３上の撮像素子１６を覆うように形成された導電性部材であり、例えば、金属板を適宜プレス加工することにより形成される。このシールド部材２０には、撮像素子１６の撮像面１６ａを露出させるための開口部２０ｈが形成されている。そして、後述するように、シールド部材２０が上記主基板１３の一主面に撮像素子１６を覆うように取付けられた状態で、撮像面１６ａが前記開口部２０ｈを通じて外部に露出するように構成されている。
【００２６】
これらの基板ユニット１２及びシールド部材２０は、ねじ止により、次述する前側ケース３４にねじ止固定される。この構成については後に詳述する。
【００２７】
ケース体３０は、後側ケース３２と前側ケース３４とを備えており、後側ケース３２及び前側ケース３４はそれぞれ略筺状の収容空間を有している。そして、それらの間にパッキン等を介在させた状態で、後側ケース３２及び前側ケース３４がねじＳ１により合体固定される。基板ユニット１２及びシールド部材２０は、前側ケース３４に固定された状態で、後側ケース３２と前側ケース３４との間の収容空間に収容固定される。なお、基板ユニット１２からの外部配線は、例えば、後側ケース３２を貫通して外部に引出される。
【００２８】
また、前側ケース３４の前面側には、レンズ部４０を保持する略筒状のホルダ部３５が設けられている。上記撮像素子１６は、ケース体３０内でホルダ部３５内の開口に臨む位置関係で配設され、レンズ部４０を通じて外部景色を撮像する。
【００２９】
レンズ部４０は、単数又は複数のレンズにより構成されており、撮像を臨む範囲等に応じて所望の光学的特性、例えば、広角な範囲からの光を撮像面１６ａに結合させる特性を有している。また、レンズ部４０は、スライド構造や螺合構造等によって上記レンズを光軸に沿って移動自在に支持すると共に調整された所定位置でレンズを保持する構造を有している。つまり、レンズ部４０は、撮像面１６ａに対してレンズを移動させてピント調整し得る機能をも有している。
【００３０】
このレンズ部４０は、ホルダ部３５内にその前方より挿入されてその内部の一定位置で固定される。そして、ホルダ部３５内にレンズ部４０が固定保持された状態で、レンズを前後移動させてピント調整可能なようになっている。
【００３１】
シールド部材２０の取付部構造部分についてより詳細に説明する。図４は同取付部構造部分を示す拡大斜視図であり、図５は同取付部構造部分を示す拡大断面図である。
【００３２】
図１〜図５に示すように、シールド隣接部材或は基板固定部材としての前側ケース３４は、第１固定孔３４ｈを有している。より具体的には、前側ケース３４内の収容空間に、少なくとも一つ（図２では２つ）の固定突部３６が突出形成され、各固定突部３６に第１固定孔３４ｈが形成されている。各固定突部３６及び第１固定孔３４ｈは、第２固定孔１３ｈに対応させた位置に形成されている。
【００３３】
また、基板としての主基板１３は、第２固定孔１３ｈを有している。より具体的には、主基板１３のコーナー部分に第２固定孔１３ｈが形成されている。ここでは、略方形状に形成された主基板１３において対角の位置関係にある２つのコーナー部に、第２固定孔１３ｈを形成している。
【００３４】
さらに、シールド部材２０は、シールド側固定孔２２ｈを有している。より具体的には、シールド部材２０のうち上記第２固定孔１３ｈに対応するコーナー部分が凹状に形成されると共に、その凹状部分内に取付片２２が形成されている。各取付片２２は、固定突部３６の先端面及び主基板１３の一主面に沿って延びる舌片状に形成されており、この各取付片２２にシールド側固定孔２２ｈが形成されている。
【００３５】
また、第１固定孔３４ｈ及び第２固定孔１３ｈのうち少なくとも一つは、シールド側固定孔２２ｈよりも大きくなっている。ここでは、第１固定孔３４ｈ及び第２固定孔１３ｈの双方が、シールド側固定孔２２ｈよりも大きくなっている。なお、第１固定孔３４ｈ及び第２固定孔１３ｈのうちの一方を、シールド側固定孔２２ｈよりも大きくする場合には、該シールド側固定孔２２ｈの加工工程上、発生したバリや波打ち等が突出し易い面（通常は、打抜き方向前方側の面）側に位置する方を、シールド側固定孔２２ｈよりも大きくするとよい。
【００３６】
ここでは、第２固定孔１３ｈ及びシールド側固定孔２２ｈは、それぞれ円孔状に形成されており、第２固定孔１３ｈの径寸法ａは、シールド側固定孔２２ｈの径寸法ｂよりも大きくなっている。
【００３７】
また、第１固定孔３４ｈもシールド側固定孔２２ｈよりも大きくなっている。ここでは、第１固定孔３４ｈは、有底円穴状に形成されており、その開口側に大開口部３４ｈａが形成されると共に、その奥側にねじＳ２と螺合可能なねじ孔部３４ｈｂが形成されている。そして、ねじ孔部３４ｈｂの径寸法ｃが上記シールド側固定孔２２ｈの径寸法ｂよりも大きく形成されると共に、これよりもさらに大開口部３４ｈａの径寸法ｄが大きくなるように形成されている。なお、シールド側固定孔２２ｈの径寸法ｂよりも大きな径寸法の大開口部３４ｈａを有する構成にあっては、必ずしもねじ孔部３４ｈｂの径寸法ｃがシールド側固定孔２２ｈの径寸法ｂよりも大きくなっている必要はない。また、大開口部３４ｈａを省略し、ねじ孔部３４ｈｂの径寸法ｃを上記シールド側固定孔２２ｈの径寸法ｂよりも大きくした構成を採用するようにしてもよい。要するに、第１固定孔３４ｈがシールド側固定孔２２ｈよりも大きい構成とは、第１固定孔３４ｈのうちの少なくとも開口部分の径寸法が、シールド側固定孔２２ｈの径寸法よりも大きくなっている全ての構成を含む。
【００３８】
また、上記主基板１３の一主面のうち第２固定孔１３ｈの周縁部に、銅箔等の導電性箔によってアースパターン１３ａが形成されており、上記シールド部材２０のうちシールド側固定孔２２ｈの周縁部が該アースパターン１３ａと接触して導通を得る構成となっている。
【００３９】
そして、上記第１固定孔３４ｈの周縁部とシールド側固定孔２２ｈの周縁部と第２固定孔１３ｈの周縁部とをこの順で重ね合せるようにして、前側ケース３４内に、シールド部材２０及び基板ユニット１２が配設される。また、この状態で、主基板１３の後ろ側から、固定具としてのねじＳ２を、第２固定孔１３ｈ及びシールド側固定孔２２ｈに挿通して第１固定孔３４ｈのねじ孔部３４ｈｂに螺合締結させる。これにより、シールド部材２０が前側ケース３４と主基板１３との間で撮像素子１６を覆うような態様で固定されると共に、基板ユニット１２が前側ケース３４にねじ止固定される。なお、ねじＳ２のねじ径よりもシールド側固定孔２２ｈの径が小さい場合等、必要に応じてねじＳ２としてタッピングねじが用いられる。
【００４０】
この場合、打抜き加工等で、シールド部材２０の取付片２２にシールド側固定孔２２ｈを形成する際、図６に示すように、シールド側固定孔２２ｈの周縁部にバリ２３ａが発生したり、或は、図７に示すように、該周縁部に波打ち部分２３ｂが形成されてしまうことがある。ところが、第１固定孔３４ｈ及び第２固定孔１３ｈは、シールド側固定孔２２ｈよりも大きく形成されているため、それらのバリ２３ａや波打ち部分２３ｂは、第１固定孔３４ｈ及び第２固定孔１３ｈ内に配設された状態となり、シールド側固定孔２２ｈの周縁部と第１固定孔３４ｈの周縁部及び第２固定孔１３ｈの周縁部との間に介在することは抑制される。従って、シールド側固定孔２２ｈの周縁部が第１固定孔３４ｈの周縁部及び第２固定孔１３ｈに密接した状態で、上記固定がなされる。
【００４１】
また、このように固定された状態で、シールド部材２０のうちシールド側固定孔２２ｈの周縁部は、上記アースパターン１３ａに接触している。これにより、シールド部材２０は、アースパターン１３ａを通じて接地されることになる。
【００４２】
以上のように構成されたシールド部材の取付部構造及びカメラ装置によると、第１固定孔３４ｈ及び第２固定孔１３ｈのうち少なくとも一つ（ここでは両方）は、シールド側固定孔２２ｈよりも大きいため、シールド側固定孔２２ｈ側に生じたバリ２３ａや波打ち部分２３ｂ等は、第１固定孔３４ｈ或は第２固定孔１３ｈ内に配設され、各孔１３ｈ，２２ｈ，３４ｈの周縁部間に介在することが抑制される。このため、第１固定孔３４ｈの周縁部とシールド側固定孔２２ｈの周縁部と第２固定孔１３ｈの周縁部とを略密接状態に重ね合せた状態で、前側ケース３４、シールド部材２０及び主基板１３を相互固定することができる。これにより、前側ケース３４、シールド部材２０及び主基板１３の相対的な位置関係を一定に保つことができる。また、前側ケース３４と主基板１３との位置関係も一定にすることができる結果、前側ケース３４側に固定されるレンズ部４０と、主基板１３に実装固定される撮像素子１６との位置関係も一定にすることができる。
【００４３】
特に、第１固定孔３４ｈは、シールド側固定孔２２ｈよりも大きい大開口部３４ｈａと、その大開口部３４ｈａよりも奥側に形成されねじＳ２と螺合可能なねじ孔部３４ｈｂとを有しているため、ねじＳ２をより確実に螺合させつつ、シールド部材２０と前側ケース３４とをより確実に密接状態にすることができる。
【００４４】
また、主基板１３のうち第２固定孔１３ｈの周縁部に、シールド部材２０のうちシールド側固定孔２２ｈの周縁部と導通を得るアースパターン１３ａが形成されているため、シールド部材２０が前側ケース３４と主基板１３との間で固定されることで、シールド部材２０が主基板１３のアースパターン１３ａに電気的に接続されて接地されることになる。このため、シールド部材２０の接地を簡易な構成でかつ簡易な組立で行える。
【００４５】
なお、本実施形態では、シールド部材の取付部構造をカメラ装置に適用した例で説明したが、この適用例に限られない。例えば、本発明は、シールド部材を基板と基板固定部材との間に固定する構成や、シールド部材を他の部材に隣接させた状態で取付ける構成等、シールド部材を何らかの部材に隣接させた状態で取付ける種々のシールド部材の取付部構造に適用できる。
【００４６】
また、固定具としては、上記ねじＳ２の他、第２固定孔１３ｈに圧入固定可能なピン状部材等、第１固定孔３４ｈやシールド側固定孔２２ｈ、第２固定孔１３ｈ等に挿通されてそれらを固定可能な種々の固定具を用いることができる。
【図面の簡単な説明】
【００４７】
【図１】この発明の実施形態に係るカメラ装置の分解斜視図である。
【図２】前側ケースとシールド部材と基板とを示す分解斜視図である。
【図３】前側ケースとシールド部材と基板との相対的な位置関係を示す説明図である。
【図４】シールド部材の取付部構造を示す拡大斜視図である。
【図５】シールド部材の取付部構造部分を示す拡大断面図である。
【図６】シールド側固定孔の周縁部に発生したバリを示す図である。
【図７】シールド側固定孔の周縁部に発生した波打ち部分を示す図である。
【符号の説明】
【００４８】
１０  カメラ装置
１２  基板ユニット
１３  主基板
１３ａ  アースパターン
１３ｈ  第２固定孔
１６  撮像素子
１６ａ  撮像面
２０  シールド部材
２２  取付片
２２ｈ  シールド側固定孔
２３ａ  バリ
２３ｂ  波打ち部分
３４  前側ケース
３４ｈ  第１固定孔
３４ｈａ  大開口部
３４ｈｂ  ねじ孔部
３５  ホルダ部
４０  レンズ部
【図１】
2006351929.tif 000003
【図２】
2006351929.tif 000004
【図３】
2006351929.tif 000005
【図４】
2006351929.tif 000006
【図５】
2006351929.tif 000007
【図６】
2006351929.tif 000008
【図７】
2006351929.tif 000009